(57)【要約】      （修正有）【課題】既成の室外機への設置が容易で、しかも冷却水の量が安定しており、不要な冷却水の滴下を自動的に停止する機能を有するエアコン室外機の水冷アダプターユニットを提供する。【解決手段】エアコン室外機の上部に貯水ケース２を有するプレート１を着脱可能に設置して、該貯水ケースの底部に滴下穴を設け、該滴下穴への流路を除湿水（ドレーン）の有る時に連通させるフロートを設け、該滴下穴と流路を可撓性のパイプ１９で接続してエアコン室外機の水冷アダプターユニットを構成する。【選択図】図１
0003169945.tif 000002
【実用新案登録請求の範囲】
【請求項１】
エアコン室外機の上部に着脱可能に設置すべきプレート上に貯水ケースを設け、該貯水ケースの底部にプレートを貫通した状態で水の滴下口を設け、該滴下穴が位置するプレート下面にはプレートの長辺方向と略並行なダクトを設け、該ダクトの下面に複数の小穴を設け、プレートの下面に該プレートの長手方向に並行な可撓性のガイド部材を設け、前記貯水ケースの上部に除湿水（ドレーン）の注入口と、内部に上下方向に移動可能なフロートを設け、該フトートには除湿水（ドレーン）を受ける受け皿部と上方に向いた開口部を設け、該開口部と滴下口とを可撓性のパイプで接続したごとく構成したことを特徴とするエアコン室外機の水冷アダプターユニット。
【考案の詳細な説明】
【技術分野】
【０００１】
本考案は、既存のエアコン室外機を水冷化することによってその排気温度を下げ、電力消費を少なくする為のアダプターユニットに関するものである。
【背景技術】
【０００２】
現在一般に使用されている家庭用のエアコン用室外機は多くが空冷方式でファンの力で外気を熱交換器にあてて冷却を行うものである。  この排気はかなり高温で屋外の温度を上げ、街中の高温化が進む原因となり近隣に迷惑を及ぼしている。  また、室外機のファンは常に大量の空気を動かす為に廻りつづける一方、熱交換器での冷媒の冷却が不充分のために、室内機の性能が低下し、電力消費を増加させている。  
【０００３】
近年、地球温暖化の問題が顕在化し、また電力消費量を少なくする要望も高まっている。  エアコン室外機の冷却方法を水冷式にすれば排気温度の低下と電力消費の効果が大きいことは周知のことであるが、実際には不要なときに水冷用の水を停止する方法がないなどの課題が未解決で、無駄に大量の水を消費するものであってはならない為などで現在では普及していない。
【０００４】
また、既に設置済の空調室外機を水冷式のものに交換するというのは費用も掛かり資材を無駄にするものでもあり、環境対策としては望ましくない。
【０００５】
この改善策として、これまで提案されてきた第１の方式としては除湿水（ドレーン）によってエアコン室外機の熱交換器（コンデンサー）を冷却するものや、他の方法として室外機の上部に雨水や水道水を貯めて徐々に滴下することによって熱交換器（コンデンサー）を冷却する方式が提案されているが、不必要なときに滴下される水を停止する方法について述べられていないために、無駄に大量の水を消費する可能性を持つものであるのと、既成のエアコンへの追加設置が出来ない等の不都合を有するものである。
【先行技術文献】
【特許文献】
【０００６】
【特許文献１】実開平６−２０１３号公報
【特許文献２】特開平９−１９６４１５号公報
【考案の概要】
【考案が解決しようとする課題】
【０００７】
本考案が解決しようとする課題は、既成の室外機への設置が容易で、しかも冷却水の量が安定しており、不要な冷却水の滴下を自動的に停止する機能を有するエアコン室外機の水冷アダプターユニットを提供することである。
【課題を解決するための手段】
【０００８】
本考案が課題を解決する為の手段はエアコン室外機の上部に貯水ケースを着脱可能に設置して、該貯水ケースの底部に滴下穴を設け、該滴下穴への流路を除湿水（ドレーン）によって開閉するごとくなし、また滴下する水をエアコン室外機の熱交換器（コンデンサー）に的確に接触させる為のガイド部材を設けたエアコン室外機の水冷アダプターユニットを提供することである。
【考案の効果】
【０００９】
本考案のエアコン室外機の水冷アダプターユニットは従来から使用されているエアコンの室外機に容易に取付けることが出来、室内空気を冷却することで発生する除湿水（ドレーン）を利用して冷却水の供給バルブを開閉することが出来、また、冷却水の飛散を防止し、不要なときに冷却水を停止して無駄な水を消費する事がないので、これまでのエアコン室外機の水冷化の課題を解決できると云う大きな利点がある。
【図面の簡単な説明】
【００１０】
【図１】図１は本考案の実施例の構造を示す上斜視図である。
【図２】図２は本考案の実施例の構造を示す側面図である。
【図３】図３は本考案の実施例の構造を示す部分背断面図である。
【図４】図４は本考案の実施例の構造を示す部分下斜視図である。
【考案を実施するための形態】
【００１１】
除湿水（ドレーン）を利用して冷却水の流路を開閉し、冷却水の飛散を防止し、冷却水の量が安定しており、不要なときに冷却水を停止できると云う本考案の効果を損なわない範囲で、構造を簡略化した本考案を実現するものである。
【実施例】
【００１２】
図１は本考案の実施例の構造を示す上斜視図であり、図２は本考案の実施例の構造を示す側面図である。図３は本考案の実施例の構造を示す部分背断面図である、図４は本考案の実施例の構造を示す部分下斜視図である。
【００１３】
図１、２、３、４においてプレート１には上面に貯水ケース２が固着され、下面の一端にはゴムなどの可撓性の材料で板状に形成されたガイド部材３が該プレート１の長手方向に並行に取付けられている。プレート１の下面の他端には複数のマグネット４が固着されエアコン室外機の上面に吸着固定できるごとく構成されている。  貯水ケース２の上面には第１の蓋部材５、第２の蓋部材６が設けられ、少なくとも第２の蓋部材６は容易に着脱可能とされている。  貯水ケース２の底面にはプレート１を貫通した状態で水の滴下口７が設けられている。  貯水ケース２の内部には２本のポール８が設けられ該ポール８には上下に摺動可能なごとく設けられたフロート９が設けられている。  該フロート９には中空部１０と受け皿部１１と小穴１２と吸水材１３が設けられ、側面にはスリット１４を有する開口部１５と該開口部１５に連通する第１のパイプ接続部１６を有する。  前記滴下口７に連通する第２のパイプ接続部１７とは可撓性のパイプ１８で接続されている。  また、第１の蓋部材５には除湿水（ドレーン）注水用接続パイプ１９が設けられ、滴下口７の位置するプレート１の下面には、複数の散水口２０を有するダクト２１が該プレート１の長手方向に並行に設けられている。  ２２はエアコン室外機の天板、２３はその熱交換器（コンデンサー）である。
［作用］
【００１４】
上記構造の実施形態における作用を説明する。
平板状のプレート１は既存のエアコン室外機の天板２２の上面にマグネット４によって安定的に吸着固定されており、貯水ケース２には常時水が蓄えられており、給水は着脱が容易な第２の蓋部材６を開いて適宜行われる。  エアコン室内機が作動すると室内の暖かい空気に含まれている水蒸気が冷却によって液化して、しばらくすると除湿水（ドレーン）がパイプ１９を通って受け皿１１に滴下する。  滴下した除湿水（ドレーン）が受け皿１１に溜まるとその重量によって、中空部１０に働く浮力で水面Ｈ上に浮かぶフロート９はやや沈んでスリット１４の下端部は水面Ｈの下に入る。  そうすると水はこのスリットを通って流れ込み可撓性のパイプ１８を経由して滴下口７から滴下される。  滴下された水は、ダクト２１を伝って散水口２０からガイド部材３上に落ちてその斜面によって熱交換器（コンデンサー）２３に接触し、その温度によって気化蒸発してその気化熱によって熱交換器（コンデンサー）２３を冷却する。  室内の冷房を停止すると除湿水（ドレーン）の流入は停止するので、受け皿１１に溜まった除湿水（ドレーン）は吸水材１３を介して小穴１２から流出し、軽くなったフロート９は浮き上がり、スリット１４の下端部は水面Ｈの上に出るので、水の流れは停止する。  除湿水（ドレーン）の流入の停止から、散水の停止までには１分程度の時間が掛かるが実用機能として問題になることは無い。  マグネット４はプレート１の着脱が容易であると云う利点があるが、粘着テープなどに置き換えても本考案の主旨を外れるものではない。  なお、本案は室外機が室内機より下方の位置に設置されている場合に有効なものであり、室外機が高い位置に設置されている場合は対象としていない。  また、滴下口７に図示しない流量調整用のバルブを追加することも可能でありこのことで本考案の主旨を外れるものではない。
【００１５】
本案の優れた点は散布される水の流量が貯水ケース２内の水位によって変化しにくいことである。  一般的には貯水ケース２内の水位が高いと散布水の量が必要以上に増えて、逆に貯水ケース２内の水位が低くなると散布水の量が不足する。本案の場合、散布水の量はスリット１４の下端部と水面Ｈとの位置関係で決まり、これは除湿水（ドレーン）の有無によってフロート９が上下することで主に決定され、ケース２内の水位による影響は少ない。  この効果は実用上極めて重要である。  室内機が単なる送風運転時には除湿水（ドレーン）は出ないので散布水は無用に流出しないことは云うまでも無い。
【産業上の利用可能性】
【００１６】
上記の説明で明らかなごとく、本考案は、エアコン室外機の上に固定的に取付けるだけで内部の冷媒を冷やすとともにエアコン室外機の排気の温度を下げることが出来るものであり、１日１回程度の給水で冷却に必要な水量を継続的に滴下することが出来、外部の動力も必要とせずに、不要なときには自動的に給水を停止することが出来、安定した散布水の量によって冷媒を有効に冷やすことで、エアコン室内機の冷却効果の向上と、室外機の排気の温度を下げて外気を加熱することを防止することが出来る。
【符号の説明】
【００１７】
１    プレート
２    貯水ケース
３    ガイド部材
４    マグネット
５    第１の蓋部材
６    第２の蓋部材
７    滴下口
８    ポール
９    フロート
１０    中空部
１１    受け皿部
１２    小穴
１３    吸水材
１４    スリット
１５    開口部
１６    第１のパイプ接続部
１７    第２のパイプ接続部
１８    可撓性パイプ
１９    除湿水（ドレーン）注水用接続パイプ
２０    散水口
２１    ダクト
２２    エアコン室外機の天板
２３    熱交換器（コンデンサー）
【図１】
0003169945.tif 000003
【図２】
0003169945.tif 000004
【図３】
0003169945.tif 000005
【図４】
0003169945.tif 000006